(57)【要約】【課題】水栓柱を使用して庭の花木や植木に散水したり、洗車するに際し、保持体を水栓柱に取付体により取付けることができ、保持体にホースリール部が取り付けられているので、ホースリール部のドラムに巻き付けられている散水側ホースをドラムから引出して散水することができ、このため、散水作業の際に、その都度、ホースリールを水栓柱の近くに配置する必要がなく、それだけ容易に散水作業を行うことができ、使用の利便性を高めることができる。【解決手段】水栓柱Ｍに取付可能な保持体１と、保持体を水栓柱に取付可能な取付体３と、保持体に設けられ、フレーム６ａに散水側ホース６ｂを巻付可能なドラム６ｃを回転可能に支持してなるホースリール部６とを備えてなる。【選択図】　　　　図１
2004092185.tif 000002
【特許請求の範囲】
【請求項１】
水栓柱に取付可能な保持体と、該保持体を水栓柱に取付可能な取付体と、該保持体に設けられ、フレームに散水側ホースを巻付可能なドラムを回転可能に支持してなるホースリール部とを備えてなることを特徴とする水栓柱用ホースリール。
【請求項２】
上記ホースリール部に散水側ホースを引出案内可能な案内部を設けてなることを特徴とする請求項１記載の水栓柱用ホースリール。
【請求項３】
上記ホースリール部は上記保持体に対して旋回調節機構により水平旋回調節自在に設けられていることを特徴とする請求項１又は２記載の水栓柱用ホースリール。
【請求項４】
上記取付体は水栓柱の蛇口に取付可能に設けられていることを特徴とする請求項１〜３のいずれか１項に記載の水栓柱用ホースリール。
【請求項５】
上記保持体に各種の物品を掛止可能な掛止部を設けてなることを特徴とする請求項１〜４のいずれか１項に記載の水栓柱用ホースリール。
【発明の詳細な説明】
【０００１】
【発明の属する技術分野】
本発明は例えば庭、車庫、公園等の屋外に設置される水栓柱に用いられる水栓柱用ホースリールに関するものである。
【０００２】
【従来の技術】
従来、屋外に給水設備を設置する場合、柱状支持体を立設し、柱状支持体内に配管材を設けると共に柱状支持体の上部に蛇口を突設してなる水栓柱を用いている。
【０００３】
【発明が解決しようとする課題】
しかしながら上記水栓柱を使用して庭の花木や植木に散水したり、洗車したりする場合、フレームに散水側ホースを巻付可能なドラムを回転可能に支持してなるホースリールを用意し、ホースリールの給水側ホースを水栓柱の蛇口に接続して散水作業を行うことになり、このため、散水作業の際に、その都度、ホースリールを水栓柱の近くに配置する必要があり、それだけ厄介であると共に使用の利便性が低下することがあるという不都合を有している。
【０００４】
【課題を解決するための手段】
本発明はこのような不都合を解決することを目的とするもので、本発明のうちで、請求項１記載の発明は、水栓柱に取付可能な保持体と、該保持体を水栓柱に取付可能な取付体と、該保持体に設けられ、フレームに散水側ホースを巻付可能なドラムを回転可能に支持してなるホースリール部とを備えてなることを特徴とする水栓柱用ホースリールにある。
【０００５】
又、請求項２記載の発明は、上記ホースリール部に散水側ホースを引出案内可能な案内部を設けてなることを特徴とするものであり、又、請求項３記載の発明は、上記ホースリール部は上記保持体に対して旋回調節機構により水平旋回調節自在に設けられていることを特徴とするものであり、又、請求項４記載の発明は、上記取付体は水栓柱の蛇口に取付可能に設けられていることを特徴とするものであり、又、請求項５記載の発明は、上記保持体に各種の物品を掛止可能な掛止部を設けてなることを特徴とするものである。
【０００６】
【発明の実施の形態】
図１乃至図１１は本発明の実施の形態例を示し、１は保持体であって、合成樹脂製にして、例えば屋外に設置された水栓柱Ｍに取付可能に形成され、この場合、天板１ａ、前板１ｂ、左右の側板１ｃ・１ｃ及び中板１ｄからなり、水栓柱Ｍの上面に中板１ｄを載置すると共に水栓柱Ｍの両側面を側板１ｃ・１ｃで覆うようにして被嵌され、前板１ｂに水栓柱Ｍから突設された蛇口Ｇが突出可能な開口部Ｆを形成し、かつ、保持体１の周面に複数個の掛止孔２ａからなる掛止部２を形成している。
【０００７】
３は取付体であって、この場合、合成樹脂製にして、蛇口Ｇの基部を抱着可能な一対の抱持体３ａ・３ａ及び抱持体３ａ・３ａにより蛇口Ｇを締付可能なボルト３ｂ・３ｂからなり、上記保持体１の前板１ｂの左右縁部に摺動溝部１ｅ・１ｅを上下方向に形成し、各抱持体３ａ・３ａに摺動溝部１ｅ・１ｅに摺動係合可能な摺動凸部３ｃ・３ｃを形成し、これにより取付体３としての抱持体３ａ・３ａを上下調節自在に構成している。
【０００８】
４はスペーサーであって、この場合、合成樹脂製にして、上記保持体１の上下左右内面の四カ所に嵌合凸部１ｆ・１ｆ・１ｆ・１ｆを形成し、スペーサー４の側面からの距離を異ならせた位置に嵌合凹部４ａを形成し、スペーサー４の嵌合凹部４ａを嵌合凸部１ｆに嵌合し、上記保持体１の側面と上記水栓柱Ｍの側面との間にスペーサー４を配置し、水栓柱Ｍの幅サイズに適応するように構成している。
【０００９】
５は小物置き体であって、合成樹脂製にして、上板５ａ、側板５ｂ・５ｂ、底板５ｃ及び後板５ｄからなる前面を開口した四角枠状に形成され、側板５ｂ・５ｂに上記掛止部２としての掛止孔２ａと同様な複数個の掛止孔５ｅを形成し、かつ、側板５ｂ・５ｂ間に上下位置調節自在に棚板５ｆを掛架している。
【００１０】
６はホースリール部であって、合成樹脂製にして、フレーム６ａに散水側ホース６ｂを巻付可能なドラム６ｃを軸受部６ｄにより回転可能に片持状態で支持し、ドラム６ｃ内に給水側ホース６ｅが接続される接続部６ｆを設け、給水側ホース６ｅに接続部６ｆにワンタッチ接続可能な継手６ｇを取り付け、フレーム６ａに持手６ｈを設け、持手６ｈに散水側ホース６ｂを引出案内可能な案内部６ｉを設けてなり、この案内部６ｉは案内フレーム６ｊに一対の縦ロール６ｋ・６ｋ及び横ロール６ｌ・６ｌを設け、かつ、案内部６ｉはフレーム６ａに支点軸６ｍを中心として旋回自在に設け、保持体１にドラム６ｃを保持する受け体６ｎを設け、ドラム６ｃにハンドル６ｐを突設してなり、このホースリール部６を保持体１に対して旋回調節機構７により水平旋回調節自在に設けて構成している。
【００１１】
この場合、旋回調節機構７は、保持体１の天板１ａに八角形枠状の係合枠部７ａを突出形成し、ホースリール部６のフレーム６ａの底面に係合枠部７ａに外嵌合可能な八角形枠状の係止枠部７ｂを形成し、フレーム６ａの底面に係止枠部７ｂの中心にして二面カット孔７ｃを形成すると共に、保持体１の天板１ａに八角形枠状の係合枠部７ａの中心にして二面カット孔７ｄを形成し、これら二面カット孔７ｃ・７ｄに挿脱可能にして９０度回転することにより二面カット孔７ｃの上縁部に載置係止可能な挿脱ピン７ｅを形成し、しかして、挿脱ピン７ｅを二面カット孔７ｃ・７ｄから抜き取った状態で係合枠部７ａと係止枠部７ｂとを嵌合し、これによりホースリール部６と水栓柱Ｍとの相対位置を変更し、変更後に挿脱ピン７ｅを二面カット孔７ｃ・７ｄに挿通して挿脱ピン７ｅを９０度回転させることにより保持体１とホースリール部６とを連結するように構成している。
【００１２】
８は連結体であって、基板８ａの側面に鉤板８ｂ・８ｂを上下反対向きに突設してなり、掛止孔２ａ・５ｅに鉤板８ｂ・８ｂを引掛けることにより上記保持体１と小物置き体５とを連結するように構成している。
【００１３】
この実施の形態例は上記構成であるから、水栓柱を使用して庭の花木や植木に散水したり、洗車したりするに際し、保持体１を水栓柱Ｍに取付体３により取付けることができ、保持体１にホースリール部６が取り付けられているので、給水側ホース６ｅの一方端部を水栓柱Ｍの蛇口Ｇに接続し、給水側ホース６ｅの他方端部の継手６ｇを接続部６ｆに接続し、ホースリール部６のドラム６ｃに巻き付けられている散水側ホース６ｂをドラム６ｃから引出し、散水側ホース６ｂの他方端部の図示省略の散水ノズルから散水することができ、このため、散水作業の際に、その都度、ホースリールを水栓柱の近くに配置する必要がなく、それだけ容易に散水作業を行うことができ、使用の利便性を高めることができる。
【００１４】
又、この場合、上記ホースリール部６に散水側ホース６ｂを引出案内可能な案内部６ｉを設けてなるから、ドラム６ｃに巻き付けられている散水側ホース６ｉを容易に引き出すことができ、かつ、この案内部６ｉはフレーム６ａに支点軸６ｍを中心として旋回自在に設けられているので、ドラム６ｃの巻き付け位置に応じて旋回することができ、一層容易に散水側ホース６ｉを引き出すことができ、又、この場合、上記ホースリール部６は上記保持体１に対して旋回調節機構７により水平旋回調節自在に設けられているから、例えば、図６、図７、図８の如く、挿脱ピン７ｅを中心として４５度ずつ、ホースリール部６と水栓柱Ｍとの相対位置を変更することができ、このため、水栓柱Ｍの周囲の設置環境や散水位置に対応することができ、使用の融通性を高めることができる。
【００１５】
又、この場合、上記取付体３は水栓柱Ｍの蛇口Ｇに取付可能に設けられているので、蛇口Ｇに保持体１を取り付けることになり、それだけ容易に保持体１を水栓柱Ｍに取り付けることができ、又、この場合、上記蛇口Ｇに取付可能な取付体３を上下調節自在に設けてなるから、種々の水栓柱Ｍからの蛇口Ｇの突出位置に適応することができ、水栓柱Ｍのサイズに適応することができ、又、この場合、上記保持体１に各種の物品を掛止可能な掛止部２を設けてなるから、この掛止部２に各種の物品を掛止することができ、このため、水栓柱Ｍの使用の際に必要な手洗用石鹸、その他の小物類、散水用ホース、タオル等の各種の物品を直接又は図５の如く、小物置き体５、その他の補助具を介して水栓柱Ｍに配置することができ、それだけ、各種の物品を水栓柱Ｍの近くに整理することができると共に水栓柱Ｍの使用の利便性を高めることができる。
【００１６】
又、この場合、上記保持体１と上記水栓柱Ｍとの間に水栓柱Ｍの幅サイズに適応させるスペーサ４を設けてなるから、保持体１を種々のサイズの水栓柱Ｍに取り付けることができ、又、この場合、上記掛止部２は上記保持体１の周面に設けられた複数個の掛止孔２ａであるから、小物置き体５やその他の補助具を掛止することができると共に直接他の物品を掛止することができ、一層利便性を高めることができる。
【００１７】
尚、本発明は上記実施の形態例に限られるものではなく、保持体１、掛止部２、取付体３、ホースリール部６，旋回調節機構７等の構造や形状は適宜変更して設計され、上記実施の形態例においては、保持体１と取付体３とホースリール部６とが別体に形成されているが、例えば、保持体１とホースリール部６又は保持体１と取付体３とホースリール部６とを樹脂成形により一体に成形することもできる。
【００１８】
【発明の効果】
本発明は上述の如く、請求項１記載の発明にあっては、水栓柱を使用して庭の花木や植木に散水したり、洗車したりするに際し、保持体を水栓柱に取付体により取付けることができ、保持体にホースリール部が設けられているので、ホースリール部のドラムに巻き付けられている散水側ホースをドラムから引出して散水することができ、このため、散水作業の際に、その都度、ホースリールを水栓柱の近くに配置する必要がなく、それだけ容易に散水作業を行うことができ、使用の利便性を高めることができる。
【００１９】
又、請求項２記載の発明にあっては、上記ホースリール部に散水側ホースを引出案内可能な案内部を設けてなるから、ドラムに巻き付けられている散水側ホースを容易に引き出すことができ、又、請求項３記載の発明にあっては、上記ホースリール部は上記保持体に対して旋回調節機構により水平旋回調節自在に設けられているから、ホースリール部と水栓柱との相対位置を変更することができ、このため、水栓柱の周囲の設置環境や散水位置に対応することができ、使用の融通性を高めることができる。
【００２０】
又、請求項４記載の発明にあっては、上記取付体は水栓柱の蛇口に取付可能に設けられているので、蛇口に保持体を取り付けることになり、それだけ容易に保持体を水栓柱に取り付けることができ、又、請求項５記載の発明にあっては、上記保持体に各種の物品を掛止可能な掛止部を設けてなるから、この掛止部に各種の物品を掛止することができ、このため、水栓柱の使用の際に必要な手洗用石鹸、その他の小物類、散水用ホース、タオル等の各種の物品を直接又補助具を介して水栓柱に配置することができ、それだけ、各種の物品を水栓柱の近くに整理することができると共に水栓柱の使用の利便性を高めることができる。
【００２１】
以上の如く、所期の目的を充分達成することができる。
【図面の簡単な説明】
【図１】本発明の実施の形態例の使用状態の全体斜視図である。
【図２】本発明の実施の形態例の部分分解斜視図である。
【図３】本発明の実施の形態例の部分縦断面図である。
【図４】本発明の実施の形態例の部分平断面図である。
【図５】本発明の実施の形態例の部分縦断面図である。
【図６】本発明の実施の形態例の使用状態の平面図である。
【図７】本発明の実施の形態例の使用状態の平面図である。
【図８】本発明の実施の形態例の使用状態の平面図である。
【図９】本発明の実施の形態例の部分斜視図である。
【図１０】本発明の実施の形態例の使用状態の部分断面図である。
【図１１】本発明の実施の形態例の部分斜視図である。
【符号の説明】
Ｍ　水栓柱
Ｇ　蛇口
１　保持体
２　掛止部
３　取付体
６　ホースリール部
６ａ　フレーム
６ｂ　散水側ホース
６ｃ　ドラム
６ｉ　案内部
【図１】
2004092185.tif 000003
【図２】
2004092185.tif 000004
【図３】
2004092185.tif 000005
【図４】
2004092185.tif 000006
【図５】
2004092185.tif 000007
【図６】
2004092185.tif 000008
【図７】
2004092185.tif 000009
【図８】
2004092185.tif 000010
【図９】
2004092185.tif 000011
【図１０】
2004092185.tif 000012
【図１１】
2004092185.tif 000013